(57)【要約】【課題】グレースケールの精度の改善並びに最適な画像及び文字の表示品質を得るための表示装置を提供する。【解決手段】電気泳動粒子と、電極を有する表示素子と、温度センサと、処理装置とを有する表示装置であって、電気泳動粒子の一部は電極間に存在し、処理装置は表示素子を表示されるべき画像情報に対応して所定の黒色、灰色又は白色状態にするよう電極に駆動パルスを供給する。改善されたグレースケールの精度並びに最適な画像及び文字の表示品質のために、更に処理装置は、駆動パルスの前にある前パルスを供給するように配置される。前パルスのエネルギーは、温度センサによって測定された温度の増大と共に増大し、二つの電極の一方の近くの第一の部分で電気泳動粒子を離すために十分である。しかし、他方の電極の近くの第二の部分に達するには小さすぎる。
2007501436.tif 000002
【特許請求の範囲】
【請求項１】
電気泳動粒子と、温度センサと、処理装置と、二つ又はそれ以上の電極を有する表示素子とを有する表示装置において、
前記処理装置は、前記電極の一つに駆動パルスと前パルスとを入力し、
前記電気泳動粒子の一部は、前記電極間に存在し、
前記駆動パルスは、前記表示素子が、表示されるべき画像情報に対応する所定の光状態となるように設定され、
前記温度センサは、前記表示装置の温度を検出して、該検出温度に対応する温度入力を前記処理装置に送るように構成され、
前記前パルスは、前記駆動パルスの前に存在し、一つ又はそれ以上のプリセットパルスを有し、該プリセットパルスの夫々は、前記電極の一方に近い第一の部分から前記電気泳動粒子の一部の全て又は一部を離すのに十分なエネルギーを前記電気泳動粒子の一部に送り、
該エネルギーは、前記電気泳動粒子の一部の全て又は一部が前記電極の他方に近い第二の部分に達することが可能でない程度に低く、
前記第一の部分は第一の光状態に対応し、前記第二の部分は第二の光状態に対応し、
前記処理装置は、前記検出温度の上昇に応じて、前記駆動パルスによって生じた電位差に対して前記プリセットパルスによって生じた相対的なボルト‐ミリ秒の電位差を増大させることを特徴とする表示装置。
【請求項２】
前記処理装置は、前記プリセットパルスの数を増大させることによって生じた前記電位差を増大させることを特徴とする、請求項１記載の表示装置。
【請求項３】
前記処理装置は、一つ又はそれ以上の前記プリセットパルスの期間を増大させることによって生じた前記電位差を増大させることを特徴とする、請求項１記載の表示装置。
【請求項４】
前記処理装置は、前記プリセットパルスの数及び一つ又はそれ以上の前記プリセットパルスの期間を増大させることによって生じた電位差を増大させることを特徴とする、請求項１記載の表示装置。
【請求項５】
前記前パルスの期間及び前記駆動パルスの期間は、前記検出温度の上昇に対して一定に保たれることを特徴とする、請求項４記載の表示装置。
【請求項６】
前記処理装置は、一つ又はそれ以上の前記プリセットパルスによって到達された最大電圧を増大させることによって生じた電位差を増大させることを特徴とする、請求項１記載の表示装置。
【請求項７】
前記処理装置は、一つ又はそれ以上の前記プリセットパルスによって到達された最大電圧を増大させることによって、前記プリセットパルスの数を増大させることによって、且つ一つ又はそれ以上の前記プリセットパルスの期間を増大させることによって生じた電位差を増大させることを特徴とする、請求項１記載の表示装置。
【請求項８】
前記前パルスの期間及び前記駆動パルスの期間は、前記検出温度の上昇に対して一定に保たれることを特徴とする、請求項７記載の表示装置。
【請求項９】
前記駆動パルスは、前記電気泳動粒子の一部を前記所定の光状態に動かす電圧パルスを有することを特徴とする、請求項１記載の表示装置。
【請求項１０】
前記駆動パルスは、前記電気泳動粒子の一部を極度の光状態に動かすリセット電圧パルスを有することを特徴とする、請求項１記載の表示装置。
【請求項１１】
前記駆動パルスは、リセット電圧パルスと駆動パルス成分とを有し、
前記リセット電圧パルスは、前記電気泳動粒子の一部を極度の光状態に動かし、
前記駆動パルス成分は、前記電気泳動粒子の一部を前記所定の光状態に動かすことを特徴とする、請求項１記載の表示装置。
【請求項１２】
電気泳動粒子と、温度センサと、処理装置と、二つ又はそれ以上の電極を有する表示素子とを有する表示装置において、
前記処理装置は、前記電極の一つに複数の駆動パルスと複数の前パルスとを入力し、
前記電気泳動粒子の一部は、前記電極間に存在し、
前記複数の駆動パルスは、前記表示素子が、表示されるべき画像情報に対応する所定の光状態となるように設定され、
前記温度センサは、前記表示装置の温度を検出して、該検出温度に対応する温度入力を前記処理装置に送るように構成され、
前記複数の前パルスの夫々は、前記駆動パルスの夫々一つの前に存在し、多数のプリセットパルスを有し、該プリセットパルスの夫々は、前記電極の一方に近い第一の部分から前記電気泳動粒子の一部の全て又は一部を離すのに十分なエネルギーを前記電気泳動粒子の一部に送り、
該エネルギーは、前記電気泳動粒子の一部の全て又は一部が前記電極の他方に近い第二の部分に達することが可能でない程度に低く、
前記第一の部分は第一の光状態に対応し、前記第二の部分は第二の光状態に対応し、
前記処理装置は、前記検出温度の上昇に応じて、前記プリセットパルスによって生じたボルト‐ミリ秒の電位差の絶対値を増大させることを特徴とする表示装置。
【請求項１３】
前記処理装置は、前記プリセットパルスの数を増大させることによって生じたボルト‐ミリ秒の電位差を増大させることを特徴とする、請求項１２記載の表示装置。
【請求項１４】
前記処理装置は、一つ又はそれ以上の前記プリセットパルスの期間を増大させることによって生じたボルト‐ミリ秒の電位差の絶対値を増大させることを特徴とする、請求項１２記載の表示装置。
【請求項１５】
前記処理装置は、前記プリセットパルスの数及び一つ又はそれ以上の前記プリセットパルスの期間を増大させることによって生じたボルト‐ミリ秒の電位差の絶対値を増大させることを特徴とする、請求項１２記載の表示装置。
【請求項１６】
前記複数の前パルスの期間及び前記複数の駆動パルスの期間は、前記検出温度の上昇に対して一定に保たれることを特徴とする、請求項１５記載の表示装置。
【請求項１７】
前記処理装置は、一つ又はそれ以上の前記プリセットパルスの振幅を増大させることによって生じたボルト‐ミリ秒の電位差の絶対値を増大させることを特徴とする、請求項１２記載の表示装置。
【請求項１８】
前記処理装置は、一つ又はそれ以上の前記プリセットパルスの振幅を増大させることによって、前記プリセットパルスの数を増大させることによって、且つ一つ又はそれ以上の前記プリセットパルスの期間を増大させることによって生じたボルト‐ミリ秒の電位差の絶対値を増大させることを特徴とする、請求項１２記載の表示装置。
【請求項１９】
前記複数の前パルスの期間及び前記複数の駆動パルスの期間は、前記検出温度の上昇に対して一定に保たれることを特徴とする、請求項１８記載の表示装置。
【請求項２０】
前記駆動パルスは、前記電気泳動粒子の一部を前記所定の光状態に動かす電圧パルスを有することを特徴とする、請求項１２記載の表示装置。
【請求項２１】
前記駆動パルスは、前記電気泳動粒子の一部を極度の光状態に動かすリセット電圧パルスを有することを特徴とする、請求項１２記載の表示装置。
【請求項２２】
前記駆動パルスは、リセット電圧パルスと駆動パルス成分とを有し、
前記リセット電圧パルスは、前記電気泳動粒子の一部を極度の光状態に動かし、
前記駆動パルス成分は、前記電気泳動粒子の一部を前記所定の光状態に動かすことを特徴とする、請求項１２記載の表示装置。
【請求項２３】
電気泳動表示装置にデータをアドレス指定する方法において、
表示温度を表わす温度を検出するステップと、
該電気泳動表示装置の表示素子での少なくとも二つの相反する電極の一つへの送出のために一つ又はそれ以上のプリセットパルスの前パルスを決定して、該前パルスの前に置かれたデータを送るように構成された処理装置に該検出温度を送るステップと、
該検出温度が上昇するときに該前パルスによって該表示素子で生じた電位差が増大するように、該検出温度に基づいて該前パルスを決定するステップとを有する方法。
【請求項２４】
前記検出温度に基づいて前記前パルスを決定する動作は、前記検出温度が上昇するときに前記プリセットパルスの数を増大させることを特徴とする、請求項２３記載の方法。
【請求項２５】
前記検出温度に基づいて前記前パルスを決定する動作は、前記検出温度が上昇するときに一つ又はそれ以上の前記プリセットパルスの期間を増大させることを特徴とする、請求項２３記載の方法。
【請求項２６】
前記検出温度に基づいて前記前パルスを決定する動作は、前記検出温度が上昇するときに、前記プリセットパルスの数を増大させ、一つ又はそれ以上の前記プリセットパルスの期間を増大させ、前記前パルスの期間及び前記データの送信の期間を一定に保つことを特徴とする、請求項２３記載の方法。
【請求項２７】
前記検出温度に基づいて前記前パルスを決定する動作は、前記検出温度が上昇するときに一つ又はそれ以上の前記プリセットパルスの振幅を増大させることを特徴とする、請求項２３記載の方法。
【請求項２８】
前記検出温度に基づいて前記前パルスを決定する動作は、前記検出温度が上昇するときに、前記プリセットパルスの数を増大させ、一つ又はそれ以上の前記プリセットパルスの振幅を増大させ、一つ又はそれ以上の前記プリセットパルスの期間を増大させ、前記前パルスの期間及び前記データの送信の期間を一定に保つことを特徴とする、請求項２３記載の方法。
【請求項２９】
前記検出温度に基づいて前記前パルスを決定する動作は、前記データの送信のために前記電極に印加された電圧に比例して前記表示素子で生じた電位差を増大させることを特徴とする、請求項２３記載の方法。
【請求項３０】
前記検出温度に基づいて前記前パルスを決定する動作は、前記表示素子で生じた絶対的電位差を増大させることを特徴とする、請求項２３記載の方法。
【請求項３１】
電気泳動表示装置において、
前記電気泳動表示装置の表示素子にある少なくとも二つの相反する電極と、
該表示素子の温度を示す温度を検出する手段と、
該検出温度が上昇するときに前パルスによって該表示素子で生じた電位差が増大するように、該検出温度に基づいて一つ又はそれ以上のプリセットパルスを有する該前パルスを決定する手段と、
該少なくとも二つの相反する電極の一つに該前パルスを入力する手段とを有することを特徴とする電気泳動表示装置。
【請求項３２】
電気泳動表示装置において
前記電気泳動表示装置の表示素子にある少なくとも二つの相反する電極と、
該表示素子の温度を示す温度を検出する手段と、
駆動パルス期間と駆動パルス電位差とを有する駆動パルスを決める手段と、
該検出温度が上昇するときに前パルスによって該表示素子で生じた前パルス電位差が該駆動パルス電位差に比例して増大するように、該検出温度に基づいて一つ又はそれ以上のプリセットパルスを有する該前パルスを決定する手段と、
該少なくとも二つの相反する電極の一つに該前パルスの後に続く該駆動パルスを入力する手段とを有することを特徴とする電気泳動表示装置。
【発明の詳細な説明】
【技術分野】
【０００１】
本発明は、電気泳動粒子と、画素電極及びそれに対応する対極を有する表示素子と、表示素子を表示されるべき画像情報に対応する所定の光状態とするよう両方の電極に駆動信号を供給する制御手段とを有し、電気泳動粒子の一部が電極間に存在する表示装置に関する。
【背景技術】
【０００２】
このような形式の表示装置は、例えば、モニター、ラップトップ型コンピュータ、パーソナル・デジタル・アシスタント（ＰＤＡ）、携帯電話及び電子手帳、新聞、雑誌などに利用される。
【０００３】
上述した形式の表示装置は、国際特許出願ＷＯ９９／５３３７３より知られる。その特許出願は、二つの基材を有する電子インク表示を開示している。基材のうちの一つは透明であり、他は、行及び列で配置された電極を設けられている。行及び列で配置された電極間の交点は、表示素子に結合されている。表示素子は、薄膜トランジスタ（ＴＦＴ）を介して列電極に結合されている。ＴＦＴのゲートは、行電極に結合されている。表示素子と、ＴＦＴトランジスタと、行及び列で配置された電極とから成るこのような配置は、連帯してアクティブマトリクスを形成する。更に、表示素子は、画素電極を有する。行駆動部は、複数の表示素子から成る行を選択し、列駆動部は、列電極及びＴＦＴトランジスタを介して選択された表示素子から成る行にデータ信号を供給する。データ信号は、表示されるべき画像データに対応する。
【０００４】
更に、電子インク（Ｅ‐インク）は、透明な基材の上に設けられた画素電極と共通電極との間に設けられている。電子インクは、約１０から５０ミクロンの複数のマイクロカプセルを有する。夫々のマイクロカプセルは、液体中に浮かべられた、正に帯電した白色粒子と負に帯電した黒色粒子とを有する。負の電界が共通電極に印加されると、白色粒子はマイクロカプセル内で透明基材側に動き、表示素子は可視的となる。同時に、黒色粒子は、外からは見ることができないマイクロカプセルの反対側の画素電極の方に動く。負の電界を画素電極に印加すると、黒色粒子は、マイクロカプセル内で透明基材側の共通電極の方に動き、表示素子は暗くなる。電界が取り除かれたとき、表示素子は、後者の状態のままであり、双安定特性を示す。
【０００５】
表示装置の画像のグレースケールは、マイクロカプセル上側の対極に動く粒子の量を制御することによって生じる。例えば、正又は負の電界エネルギーは、電界の強さ及び印加時間によって決まり、これによってマイクロカプセルの上側に動く粒子の量を制御する。
【０００６】
一般に、電気泳動表示でのグレースケールは、指定された時間期間のパルスとして電圧を印加することによって生じる。それらは、温度、画像の過程、滞留時間、湿度、電気泳動箔の測部の不均一性などによって非常に影響を及ぼされる。
【０００７】
２００２年９月１６日に本願出願によって出願された同時係属出願番号ＥＰ０２０７８８２３．８は、本願に引用して援用されており、電子インク形式の電気泳動表示での切替え時間が、同じ駆動信号を印加したときに著しく低減する一方で、温度を上昇させることを開示している。従って、温度が高くなるほど、必要な駆動電圧パルスの長さ（即ち、期間。）は、同じグレースケール遷移に対してより短くなる。ＥＰ０２０７８８２３．８では、表示装置が動作する温度によって駆動電圧パルスの長さを調整することが提案されている。これは、様々な温度に対して制御器でフレームの数を調整するか、又は直接的にクロック速度を調整する（一方で、フレームの数は同数のままである。）かのいずれかで実現され得る。後者の場合には、フレーム時間はクロック速度で調整される。この方法は、簡単であり、（低い）室温で使用される最小フレーム時間が十分に短くないときに特に有用である。グレースケールの精度は、低温に対して定められたフレーム時間の分解度によって制限される。留意すべきは、滞留時間が二つの連続する画像更新の間の時間又は駆動パルス間の静止時間であることである。
【０００８】
画像過程及び滞留時間の影響を最小にするために、新しい駆動方法が、２００２年５月２４日に本願出願によって出願された同時係属出願番号ＥＰ０２０７７０１７．８で開示されている。この出願は、本願に引用して援用されている。その中で、信号プリセットパルスから作られたプリセット信号（本願では前パルスと呼ばれる。）又は一連のプリセットパルスは、遷移行列表に基づいて駆動パルスの直前に加えられる。必然的に、前パルスは滞留時間の影響を取り除く。同時に、前の状態の数は、前パルスの使用後に大幅に減らされる。グレースケールの精度は著しく改善される。出願番号ＥＰ０２０７７０１７．８は、表示装置の実際の動作温度に対して駆動信号を補正するよう設けられた温度センサ及び温度補償を開示している。温度補償は、表示装置のグレー値再現の温度依存性を低減する。
【特許文献１】国際特許出願ＷＯ９９／５３３７３
【特許文献２】欧州特許出願ＥＰ０２０７８８２３．８
【特許文献３】欧州特許出願ＥＰ０２０７７０１７．８
【発明の開示】
【発明が解決しようとする課題】
【０００９】
上述したような従来の表示装置には、所定の駆動パルスを使用すると、増大した滞留時間がしばしば「アンダードライブ」の増大を引き起こすという欠点がある。即ち、暗から明への切り替えに対しては所望の状態よりも暗く、明から暗への切り替えに対しては所望の状態よりも明るくなる。実際には、滞留時間は、表示装置及び用途の使用法によって様々である。これは、グレースケールの精度を制限する。
【課題を解決するための手段】
【００１０】
様々な温度で前パルスを導入する方法は、駆動パルスの長さでその期間を調整されたプリセットパルスの定数を使用することである。即ち、温度が高ければ高いほど前パルスは短くなる。この方法では、グレースケールの精度は、インク物質が高温では高い移動度を有するために、温度の上昇（更に短い切替え時間によって支持される。）と共に上がると考えられる。
【００１１】
しかし、グレースケールの精度は、温度の上昇と共に著しく下がることが分かっている。結果として、温度が高いほど前パルスを形成するプリセットパルスの数は増えて、所望の光状態は、移動度が更に高くなるという事実にも関わらず、正確に達成される
前パルスの根本的なメカニズムは、駆動パルスのそれとは異なる。グレースケール遷移を実現するために、粒子は、駆動パルスを使用することによって長距離を動かなければならない。粒子の移動速度は、切替え時間を決める支配的な要因である。粒子の移動度は、温度が高いほど高くなり（推定されるように、粒子が動く液体の粘性の低減に依存する。）、結果として切替え時間は更に短くなる。しかし、前パルスの役割は、例えば、粒子間の静電接触を遮断することによって、粒子の移動に対して幾らかの初期運動量を作ることである。これは、小さな距離の移動のみを必要とするので、移動度は必要不可欠というほどではない。更に、前パルスに含まれる総体的なエネルギーは、エネルギー障壁が所要の初期運動量に達するよう超えられるように、十分に高くなければならない。
【００１２】
温度が高いほど切替え時間は短くなるので、グレースケールの精度は、始動速度、即ち初期運動量に対して更に敏感になる。切替えが最適な初期状態で開始される場合には、グレースケール誤差は、より小さくなる。対照的に、温度が低いほど切替え時間は長くなる。グレースケール精度は、時間が十分に長いときに常に正確なグレー階調に近いので、初期状態に対してそれほど敏感ではなくなる。
【００１３】
本発明の利点は、表示装置が動作する温度に従って駆動パルス時間に対してプリセットパルスの数及び長さを変化させることによって最適な画像及び文字の表示品質を得るための頑強な駆動方法を提供して、従来の表示装置、特に電子インク形式の電気泳動表示装置の欠点を解決することである。本願の目的のために、駆動パルス時間は、駆動信号が電極に入力される間の時間である。駆動信号は、表示素子を最大の（例えば黒色又は白色）光状態に戻すリセットパルスを有しても良い。
【００１４】
本発明の更なる利点は、電気泳動表示が最適な画像及び文字の表示品質を得られるように駆動信号を設定する方法が提供されることである。
【００１５】
本発明のこれら及び更なる利点を、以下の発明の詳細な説明を参照して明白にする。
【発明の効果】
【００１６】
本発明の一つの特徴で、最適な画像及び文字の表示品質を得、更に精緻なグレースケールを達成するための改善された駆動方法は、温度が高くなるときに進歩的に前パルスの数を更に増すことによって実現される。温度が上昇するとき、駆動パルス時間に対して前パルスの数又は前パルスの長さは増大される。グレースケールの精度は、更に多くの前パルスを短い駆動時間に対して適用することによって著しく改善される。
【発明を実施するための最良の形態】
【００１７】
本発明の実施例を添付の図を参照して説明する。図は、略図であって、実寸で描かれているわけではない。更に、全ての図に亘って、同じ参照符号は同じ部品を表わす。
【００１８】
図１は、例えば数個の表示素子の大きさであって、底面基材２と、例えばポリエチレンから作られた二つの透明な基材３、４の間に存在する電子インクを有する電気泳動膜とを有する電気泳動表示装置１の一部の断面図である。基材の一つ３には画素電極５、５’が設けられている。なお、これらの電極は透明ではない。もう一つの基材４には透明な対極６が設けられている。電子インクは、約１０から５０ミクロンの複数のマイクロカプセル７を有する。夫々のマイクロカプセル７は、液体１０に浮かべられた、正に帯電された白色粒子８と負に帯電された黒色粒子９とを有する。正の電界が画素電極５に印加されると、白色粒子８はマイクロカプセル７内で画素電極側に動き、表示素子は可視的となる。同時に、黒色粒子９は、外からは見ることができないマイクロカプセル７の反対側に動く。負の電界を画素電極５に印加すると、黒色粒子９は、マイクロカプセル７内で対極６の方に動き、表示素子は暗くなる。電界が取り除かれたとき、粒子８、９は後者の状態のままであり、表示装置は、双安定特性を示し、ほとんど電力を消費しない。
【００１９】
温度センサ２５は、表示装置１、中でも液体１０とマイクロカプセル７の温度を示す温度を測定する。一般に、温度センサ２５は、例えばフィリップス・セミコンダクタ社が販売するＬＭ７５Ａ型デジタル式温度センサのようなシリコンを基としたセンサであるが、デジタル形式で温度測定結果を処理装置１５（図２参照。）に送るよう変換器を備えた熱伝対又は他の温度検出装置であっても良い。
【００２０】
図２は、能動スイッチング素子と、行駆動部１６と、列駆動部１０とを設けられた底面基材２の上に積層された電気泳動膜を有する画像表示装置１の等価回路図である。望ましくは、対極６は、カプセルに包まれた電気泳動インクを有する膜の上に設けられるが、面内電界を伴う動作の場合には代わりに底面基材の上に設けられる。表示装置１は、能動スイッチング素子によって駆動される。本例の場合には、能動スイッチング素子として薄膜トランジスタ１９を用いている。表示装置１は、行又は選択電極１７と列又はデータ電極１１とが交差する領域にある表示素子の行列を有する。行駆動部１６が連続して行電極１７を選択する一方で、列駆動部１７は列電極１１にデータ信号を供給する。最初に、処理装置１５は、温度センサ２５からの入力を有する入力データ１３をデータ信号、具体的には、本発明の前パルス及び前パルス系列に加工する。対極は、処理装置１５の二つの出力８５、８７に結合されても良い。列駆動部１０と行駆動部１６との間の相互の同期化は、駆動ライン１２を介して行われる。行駆動部１６からの選択信号は、薄膜トランジスタ１９を介して画素電極２２を選択する。なお、薄膜トランジスタ１９のゲート電極２０は、行電極１９に電気的に接続され、そのソース電極２１は、列電極１７に電気的に接続されている。列電極１７に存在するデータ信号は、ＴＦＴを介してドレイン電極に結合された表示素子の画素電極２２に送られる。実施例において、図１の表示装置は、また、夫々の表示素子１８の位置で付加的なキャパシタ２３を有する。この実施例において、付加的なコンデンサ２３は、一つ又はそれ以上の蓄積キャパシタラインに接続されている。ＴＦＴの代わりに、例えばダイオード、ＭＩＭなどのような他のスイッチング素子が使用されることが可能である。
【００２１】
図３ＡからＤは、電子インク形式の電気泳動表示装置の標準的な動作を表わす図である。図３Ａ及び３Ｂは、前パルスの印加がない場合の表示装置の動作のグラフである。図３Ｃ及び３Ｄは、前パルス３１がある場合の表示装置の動作を示す。試験は、装置独立の色空間において３２Ｌ＊から５０Ｌ＊のグレースケール遷移に対して摂氏２６度で実行される。図３Ｂ及び３Ｄは、駆動パルス３２、３２’を示し、図３Ａ及び３Ｃは、対応する光応答３３、３３’を示す。夫々のグラフのｘ軸は、秒で表される時間を示す。図３Ｂ及び３Ｄのグラフのｙ軸は、一区分が１０Ｖで表わされる電圧である。図３Ａ及び３Ｃでは、ｙ軸は、国際照明委員会（ＣＩＥ）のＬ＊ａ＊ｂ＊表色系でのＬ＊（即ち、明度又は輝度）で表わされる光応答である。Ｌ＊ａ＊ｂ＊表色系において、Ｌ＊は、０（白）から１００（黒）の範囲で表わされる。最初の暗い灰色状態（３２Ｌ＊）３４、３４’は、６６ミリ秒間−１５Ｖを印加することによって明るい灰色状態に切替えられ、そのとき電圧は、６６ミリ間で零まで落ちる。その期間の間に、表示は、明るい灰色状態（双安定）のままである。次に、表示は、大きさは同じであるが正である電圧を印加することによって暗い灰色状態に切替えられる。この工程は、４度繰り返される。前パルスのない場合の動作のグラフ（図３Ａ及び３Ｂ）では、第一のパルスの後の明度は、所望の目標明度３５をずっと下回っているように見える。この目標明度３５は、パルス３２が二つ以上加えられた後で達成される。この現象は、再現可能であり、先に出願されている同時係属出願ＥＰ０２０７８８２３．８では「アンダードライブ」と呼ばれ、結果として滞留時間を引き起こす。このグレースケール誤差又はＬ＊error（図３A及び３Cの格差３６、３６’）は、前パルス３１を用いることによって著しく低減される。この例において、ただ四つの前パルス３１のみが１３．２ミリ秒の長さで使用されている（前パルス３７と駆動時間３８の間の比は、１：５である）。
【００２２】
図３Ａは、滞留時間によって引き起こされたグレースケール誤差（Ｌ＊error）の一例であり、図３Ｃは、四つのプリセットパルスから成る前パルスの適用による著しい改善の一例である。これらは両方とも摂氏２６度で測定される。駆動電圧パルスの長さは、約３２Ｌ＊から５０Ｌ＊までの遷移に対して６６ミリ秒であり、前パスルの長さは１３．２ミリ秒（駆動時間の２０％）である。
【００２３】
図４では、グレースケール誤差Ｌ＊errorが、前パルスがない場合（曲線４１）及び２個、４個、６個、８個、１０個のプリセットパルスがある場合（夫々曲線４２、４３、４４、４５、４６）に、３２Ｌ＊から５０Ｌ＊のグレースケール遷移に対する温度の関数としてプロットされている。図４のｘ軸の単位は、摂氏温度であり、ｙ軸は、Ｌ＊の明度である。異なる温度での駆動時間は、切り替え時間に依存しない温度に従って調整され、前パルス時間と駆動時間との間の比は、１：５で一定である。従って、前パルス時間は、駆動時間で調整されて、温度が高くなるほど短縮される。
【００２４】
前パルスが使用されないとき（曲線４１）、グレースケール誤差Ｌ＊errorは、測定された温度範囲全体に亘って容認しがたい程に大きくなる（４Ｌ＊以上）。予想されるように、グレースケール誤差は、前パルスを適用することによって著しく低減される。即ち、プリセットパルスの数が増大するほどに減少する（例えば摂氏２６度の一定温度でのデータ点を比較した場合）。
【００２５】
しかし、温度が摂氏約５から６０度まで変化するとき、グレースケール誤差は、特に２６度以上の温度で、動作温度に極めて依存する。グレースケール誤差は、温度が高くなることでインク物質の移動度が増して、切り替え時間が短くなるので、温度上昇に伴って低減すると予想されるが、実際には温度上昇に伴って著しく増大する。従って、受け入れ可能な精度を有するグレースケールを得るために、温度が高くなるほど、前パルスの量は更に大きくなる必要がある。
【００２６】
図５は、３０Ｌ＊から５８Ｌ＊のグレースケール遷移を調査した他の例の結果を示す。グレースケール誤差Ｌ＊errorは、０個、２個、４個、６個及び８個のプリセットパルス（夫々、図５の曲線５１、５２、５３、５４、５５）がある場合に、３０Ｌ＊から５８Ｌ＊までの遷移に対して温度によって変化する。図５のｘ軸の単位は、摂氏温度であり、ｙ軸はＬ＊の明度である。駆動時間は、温度に従って調整され、前パルス時間は２０ミリ秒である。この例において、前パルスの長さは、異なる温度でも２０ミリ秒で一定であって、駆動時間で調整されない。駆動時間は温度が高くなるほど短縮されるので、前パルス時間と駆動時間との比は、温度上昇に伴って、摂氏７度での１：１２から摂氏６５度での２．４：１２まで増大する。ここで、前パルス時間は、より高い温度で駆動時間に対して更に長くされるとする。たとえそうであっても、その結果は、図４で得られた結果とほぼ同様である。また、受け入れ可能な精度を有するグレースケールを得るために、温度が高くなるほど、プリセットパルスの数は大きくなる必要がある。
【００２７】
図６では、１．５Ｌ＊の最大誤差を有する所望のグレースケールを達成するために必要とされる前パルスのプリセットパルスの最小数が、温度の範囲及び二つのグレースケール遷移に対して示されている。二つのグレースケールのうちの一方では、Ｌ＊finalとＬ＊initialとの間の差は、２８Ｌ＊であり、他方では、Ｌ＊finalとＬ＊initialとの間の差は、１８Ｌ＊である。実際の表示では、グレースケール誤差は、１．５Ｌ＊より小さいときにはたいてい目に見えない。図６のｘ軸の単位は、摂氏温度であり、ｙ軸は、プリセットパルスの数である。データ点６１は、２８Ｌ＊のＬ＊finalからＬ＊initialの遷移に関する。データ点６２は、１８Ｌ＊のＬ＊finalからＬ＊initialの遷移に関する。データは、図４及び５から導き出される。
【００２８】
図６のライン６３は、傾きを表わす。それは、温度上昇に伴って明らかに増大している。プリセットパルスの所要の最小数は、温度上昇に伴ってほぼ線形に増大する。この傾きは、調査範囲内の前パルス時間と駆動パルス時間との間の比の選択に対して敏感ではない。
【００２９】
例えば電子インク形式の電気泳動表示のような電気泳動表示に対する頑強な駆動方法を達成すること、及び温度上昇に伴って、切り替えが最適な状態で開始される場合にグレースケールの誤差が更に小さくなり、グレースケールがこの影響に対して更に敏感になるという利点を取ることによって最適な画像及び文字の表示品質を得ること、が達成されうるような多数の実施例が存在する。温度上昇に伴って前パルスによって加えられた電位差の値は、絶対的に増大するか、あるいは駆動パルス又は駆動パルス及び前パルスの両方によって加えられた電位差に対して増大するかのいずれであっても良い。
【実施例１】
【００３０】
温度が高いほど前パルスによって加えられた電位差の値は大きくなるが、この値は、駆動パルスで調整されたパルス長を有するプリセットパルスの数を増大することによって決定されうる。これは、クロック速度が異なる温度で調整される（即ち、フレーム時間が変化している）ときに有用である。
【実施例２】
【００３１】
温度が高いほど前パルスによって加えられた電位差の値は大きくなるが、この値は、駆動パルス時間に対してプリセットパルスの長さを増大することによって決定されうる。これは、駆動時間が例えば（極めて）高い温度で極めて短くなるときに有用である。
【実施例３】
【００３２】
温度が高いほど前パルスによって加えられた電位差の値は大きくなるが、この値は、プリセットパルスの数及び長さを増大することによって決定されうる。これは、また、駆動時間が例えば（極めて）高い温度で極めて短くなるときに有用である。（短過ぎるパルスでは、粒子間の静電接触を破るほどの十分なエネルギーを有しても良い。）
【実施例４】
【００３３】
温度が高いほど前パルスによって加えられた電位差の値は大きくなるが、この値は、一つ又はそれ以上のプリセットパルスの振幅、即ち最大電圧を増大することによって決定されうる。
【実施例５】
【００３４】
図７に更なる他の実施例を示す。異なる温度で一定の画像リフレッシュ時間全体の中で前パルスを加えることを可能にする最大時間が最適に使用される。そのとき、画像品質は、合理的に最適化され、電力定格を与えられ、特定の電子インクの特性が使用され、表示装置の他の設計パラメータ及び画像の更新速度は異なる温度でも同じである。しかし、電力消費は、また、増大する。
【００３５】
図７は、本発明の実施例４によって、温度Ｔ４＞Ｔ３＞Ｔ２＞Ｔ１（７１、７２、７３、７４）が上昇するときに前パルスの適用を実施する一連の考えである。図中のｘ軸は時間を表わし、ｙ軸は電圧を表わす。異なる温度で時間Ｇ０からＧ１（図７の７５から７６）の一定の画像リフレッシュ時間の中で利用可能である最大時間は、最適に使用される。温度が更に高くなったときに利用可能な更なる時間は、更なる前パルスの適用に適する。駆動時間ｔａ及びフレーム時間ｔｆは、温度共に減少する。前パルスに対する有効時間ｔｐ（７９、、７９’’７９’’’）は、そのとき増大されて、前パルスに対する更に長い有効時間に亘って前パルスの数、振幅及び長さを変化する機会を提供しうる。
【００３６】
最後に、上記の論議は、本発明の実施例に過ぎず、特許請求の範囲を幾つかの実施例又は一群の実施例に限定するとして解釈されるべきではない。例えば、処理装置１５は、本発明に従って実行するための専用の処理装置であっても良く、あるいは多数の機能のうちの一つのみが本発明に従って実行するために動作する汎用の処理装置であっても良い。処理装置１５は、一つのプログラム部分、即ち多数のプログラムセグメントを用いて動作しても良く、あるいは専用又は汎用の集積回路を用いているハードウェア装置であっても良い。用いられるシステムの夫々は、また、別のシステムと協働して使用されても良い。従って、特定の模範的な実施例を参照して特に詳細に本発明を説明してきたが、特許請求の範囲に記載された発明の更に広くて意図された精神及び適用範囲から外れることなく、多数の変形及び変更が本発明に対して成されうることは十分に理解されるべきである。従って、本明細書及び図は、説明手段として見なされるべきであり、特許請求の範囲の適用範囲を限定するものではない。
【００３７】
特許請求の範囲を解釈する際に、次のことが理解されるべきである。
【００３８】
ａ）  語「有する」は、当該請求項に挙げられたもの以外の他の要素又は作用の存在を認めないわけでない。
ｂ）  語「一つの」は、複数の要素の存在を認めないわけではない。
ｃ）  特許請求の範囲の参照符号はどれも、説明の目的のために使用されるに過ぎず、請求項の特許請求の範囲の適用範囲を限定するものではない。
ｄ）  幾つかの「手段」は、同じ項目又はハードウェア若しくはソフトウェアで実施される構造又は機能によって表わされうる。
ｅ）  開示されている要素の夫々は、ハードウェア部分（例えば、個別電子回路）、ソフトウェア部分（例えば、コンピュータプログラム）又はそれらの如何なる組合せであっても良い。
【図面の簡単な説明】
【００３９】
【図１】表示装置の一部の断面図である。
【図２】表示装置の一部の回路図である。
【図３Ａ】グレースケール誤差に対する滞留時間及び電圧のグラフである。
【図３Ｂ】グレースケール誤差に対する滞留時間及び電圧のグラフである。
【図３Ｃ】グレースケール誤差に対する滞留時間及び電圧のグラフである。
【図３Ｄ】グレースケール誤差に対する滞留時間及び電圧のグラフである。
【図４】多種多様なプリセットパルスの温度に対する３２Ｌ＊から５０Ｌ＊の輝度の遷移によるグレースケール誤差のグラフである。
【図５】多種多様なプリセットパルスの温度に対する３０Ｌ＊から５８Ｌ＊の輝度の遷移によるグレースケール誤差のグラフである。
【図６】所望のグレースケールを達成するために必要なプリセットパルスの最小値の温度変化のグラフである。
【図７】より高い温度で前パルスの導入に使用可能である時間の増大を示す図である。
【図１】
2007501436.tif 000003
【図２】
2007501436.tif 000004
【図３Ａ】
2007501436.tif 000005
【図３Ｂ】
2007501436.tif 000006
【図３Ｃ】
2007501436.tif 000007
【図３Ｄ】
2007501436.tif 000008
【図４】
2007501436.tif 000009
【図５】
2007501436.tif 000010
【図６】
2007501436.tif 000011
【図７】
2007501436.tif 000012
【国際調査報告】
2007501436.tif 000013
2007501436.tif 000014